(57)【要約】【課題】  映像コンテンツを再生する場合に、内容等によって再生速度を可変にしたいという要望があった。しかし、再生の都度、ユーザが再生速度を変更することは煩雑であり、利便性を向上させることが課題になっていた。【解決手段】  実施形態の電子機器は、映像コンテンツの再生指示を受信する再生指示受信部を備える。  また、前記再生指示を受信した映像コンテンツのジャンル情報を取得するジャンル情報取得部を備える。  また、前記取得されたジャンル情報に応じた、予め設定された再生速度で前記映像コンテンツを再生する再生部を備える。【選択図】  図３
2013098751.tif 000002
【特許請求の範囲】
【請求項１】
映像コンテンツの再生指示を受信する再生指示受信部と、
前記再生指示を受信した映像コンテンツのジャンル情報を取得するジャンル情報取得部
と、
前記取得されたジャンル情報に応じた、予め設定された再生速度で前記映像コンテンツ
を再生する再生部を備える電子機器。
【請求項２】
前記再生部は、前記取得されたジャンル情報に応じた再生速度情報を取得し、前記取得
された再生速度情報に基づいて前記映像コンテンツを再生する請求項１に記載の電子機器
。
【請求項３】
前記ジャンル情報取得部は、映像コンテンツのタイムシフト再生指示を受信した場合に
、前記ジャンル情報を取得する請求項１に記載の電子機器。
【請求項４】
前記予め設定されている映像コンテンツのジャンル情報に応じた再生速度情報を出力す
る再生速度情報出力部を備える請求項１に記載の電子機器。
【請求項５】
前記映像コンテンツのジャンル情報に応じた再生速度情報を変更可能な再生速度情報変
更部を備える請求項４に記載の電子機器。
【請求項６】
前記再生指示に応じ、設定されている再生速度で前記映像コンテンツを再生した場合の
所要時間を求め、前記映像コンテンツの再生終了予想時刻を出力する予想時刻出力部を備
える請求項１に記載の電子機器。
【請求項７】
前記出力された予想時刻を変更可能な予想時刻変更部を備える請求項１に記載の電子機
器。
【請求項８】
映像コンテンツの再生指示を受信するステップと、
前記再生指示を受信した映像コンテンツのジャンル情報を取得するステップと、
前記取得されたジャンル情報に応じた、予め設定された再生速度で前記映像コンテンツ
を再生するステップを備える電子機器の制御方法。
【請求項９】
映像コンテンツの再生指示を受信するステップと、
前記再生指示を受信した映像コンテンツのジャンル情報を取得するステップと、
前記取得されたジャンル情報に応じた、予め設定された再生速度で前記映像コンテンツ
を再生するステップを用いて電子機器を制御する電子機器の制御プログラム。
【発明の詳細な説明】
【技術分野】
【０００１】
本発明の実施形態は、電子機器、電子機器の制御方法、電子機器の制御プログラムに関
する。
【背景技術】
【０００２】
近年、放送やインターネット配信等で送信された映像コンテンツを録画し、リアルタイ
ムの放送時間や配信時間からタイムシフトして映像コンテンツを再生し、視聴可能にする
電子機器が普及しつつある。
【０００３】
しかし、ユーザが映像コンテンツを再生（例えば、タイムシフト再生）し、視聴する場
合に、映像コンテンツの内容やジャンル、ユーザの嗜好等によって、映像コンテンツの再
生速度を可変にしたいという要望があった。
【０００４】
例えば、所定のスポーツ番組の再生は比較的早い再生速度（倍速）にしたり、ドラマの
再生はあまり早過ぎない再生速度（倍速）で再生したりしたいという要望があった。
【０００５】
しかし、映像コンテンツの再生の都度、ユーザが再生速度を変更することは煩雑であり
、利便性を向上させることが課題になっていた。
【先行技術文献】
【特許文献】
【０００６】
【特許文献１】特開２００８−１４７８０３号公報
【発明の概要】
【発明が解決しようとする課題】
【０００７】
映像コンテンツを再生する場合に、内容等によって再生速度を可変にしたいという要望
があった。
【０００８】
しかし、再生の都度、ユーザが再生速度を変更することは煩雑であり、利便性を向上さ
せることが課題になっていた。
【課題を解決するための手段】
【０００９】
実施形態の電子機器は、映像コンテンツの再生指示を受信する再生指示受信部を備える
。
【００１０】
また、前記再生指示を受信した映像コンテンツのジャンル情報を取得するジャンル情報
取得部を備える。
【００１１】
また、前記取得されたジャンル情報に応じた、予め設定された再生速度で前記映像コン
テンツを再生する再生部を備える。
【図面の簡単な説明】
【００１２】
【図１】実施形態に係わる電子機器の外観を示す外観図。
【図２】実施形態に係わる電子機器の構成を示すブロック図。
【図３】実施形態に係わる電子機器から出力されるタイムシフト再生の再生倍速設定画面における設定値の表示例を示す図。
【図４】実施形態に係わる電子機器から出力されるタイムシフト再生の再生倍速設定画面における設定変更時の表示例を示す図。
【図５】実施形態に係わる電子機器から出力されるタイムシフト再生の再生倍速設定画面の他の例を示す図。
【図６】実施形態に係わる電子機器から出力されるタイムシフト再生の再生倍速設定画面の他の例において、再生終了時刻が自動的に設定されるようすを示す図。
【図７】実施形態に係わる電子機器の動作を説明するフローチャート。
【図８】実施形態に係わる電子機器において、再生倍速情報の設定に係る動作を説明するフローチャート。
【図９】実施形態に係わる電子機器において、再生終了時刻設定に係る動作を説明するフローチャート。
【図１０】他の実施形態に係わる電子機器の外観を示す外観図。
【発明を実施するための形態】
【００１３】
以下、図面を参照し、実施形態を説明する。
【００１４】
図１は、実施形態に係わる電子機器の外観を示す外観図である。
【００１５】
ここでは、電子機器１の一例として、映像表示装置（テレビ）を用いて説明を行う。
【００１６】
電子機器（映像表示装置）１は、例えば、ユーザによってリモコン（リモートコントロ
ーラ）２１が操作される。このリモコン２１から出力されたリモコン信号が電子機器（映
像表示装置）１の操作受信部２０で受信される。
【００１７】
リモコン信号を受信した電子機器（映像表示装置）１は、このリモコン信号の指示によ
って動作し、例えば、ＬＣＤ（Liquid Crystal Display、液晶ディスプレイ）等で構成さ
れる表示画面（映像表示部）８に、所定の映像を表示出力する。
【００１８】
また、この電子機器（映像表示装置）１は、例えば、ＵＳＢ端子等で外付けされる外部
記憶機器（ＨＤＤ等）１９を備えている。そして、映像表示装置１で受信された放送を、
例えば、映像表示装置１内部の内部記憶装置１７やこの外部記憶機器１９に録画すること
が可能である。
【００１９】
図２は、実施形態に係わる電子機器の構成を示すブロック図である。
【００２０】
この実施形態においては、制御部１１はＣＰＵ１２を備えている。そして、ＣＰＵ１２
は電子機器（映像表示装置）１を制御する。
【００２１】
また、ＲＡＭ１３、ＲＯＭ１４、フラッシュメモリ１５は、例えば、制御部１１で行わ
れる処理に利用される。
【００２２】
例えば、放送局２５からデジタル放送で映像コンテンツが放送される。放送局２５から
放送されたデジタル放送はチューナ３で受信され、選局処理が行われ、デジタル信号の映
像コンテンツが信号処理部４に送信される。
【００２３】
信号処理部４で受信されたデジタル信号の映像コンテンツは信号処理が施され、音声処
理部６および映像処理部５に送信される。
【００２４】
音声処理部６は、信号処理が施された映像コンテンツを受信し、音声処理を施した信号
をスピーカ９に送信する。
【００２５】
スピーカ９は、音声処理が施された信号を受信し、音声を出力する。
【００２６】
また、映像処理部５は、信号処理が施された映像コンテンツを受信し、映像処理を施し
た信号を表示装置７に送信する。
【００２７】
表示装置７は、映像処理が施された信号を受信し、ＬＣＤパネル等で構成される表示画
面（映像表示部）８に映像を表示する。
【００２８】
また、この実施形態においては、電子機器（映像表示装置）１は内部記憶装置１７を備
えている。この内部記憶装置１７は、上記外部記録機器１９と同様に、例えば、電子機器
（映像表示装置）１で受信された映像コンテンツを録画することが可能である。
【００２９】
また、この実施形態においては、電子機器（映像表示装置）１は、上記のようにＵＳＢ
接続やＬＡＮ接続される外部記憶機器１９を備えている。上記受信された映像コンテンツ
はこの外部記憶機器１９に記録することも可能である。
【００３０】
また、この実施形態においては、電子機器（映像表示装置）１は、送受信部（ネットワ
ークインターフェース）２２、ネットワーク（インターネット）２６を介してサーバ２７
に接続されており、例えば、インターネットで配信された映像コンテンツを受信し、上記
と同様に、内部記憶装置１７や外部記憶機器１９に記録することも可能である。
【００３１】
これらの処理は、上記のように、制御部１１に制御される。
【００３２】
また、上記のように、電子機器（映像表示装置）１に対するユーザの操作は、例えばリ
モコン（リモートコントローラ）２１等の操作機器によって指示される。
【００３３】
図３は、実施形態に係わる電子機器から出力されるタイムシフト再生の再生倍速設定画
面における設定値の表示例を示す図である。
【００３４】
ここで、タイムシフト再生の説明をする。タイムシフト再生は、追っかけ再生とも呼ば
れ、例えば、放送で送信される映像コンテンツを、時間をシフトして再生し、視聴するこ
とである。例えば、映像コンテンツを録画しながら時間をシフトして再生することがこれ
にあたる。
【００３５】
この実施形態において再生とは、このタイムシフト再生も含む。
【００３６】
ここでは、ユーザがリモコン２１を操作し、映像表示装置１の表示画面８に、タイムシ
フト再生の再生倍速設定画面の設定値が表示される。
【００３７】
この設定値は、予め設定され、例えば、テーブルとして上記フラッシュメモリ１５に記
憶されている。
【００３８】
このタイムシフト再生の再生倍速設定画面（設定値）には、例えば、図３に示すように
、映像コンテンツを再生する際に用いられるジャンル情報（「ジャンル」、「サブジャン
ル」等）、このジャンル情報に関連付けを行う再生速度情報（「再生速度」）が設定され
ている。
【００３９】
ここでは、「ジャンル」の「スポーツ」が細分化され、「サブジャンル」として、「野
球」、「サッカー」、「バレーボール」、「相撲」が設けられている。
【００４０】
そして、ここでは、「ジャンル」：「スポーツ」、「サブジャンル」：「野球」の映像
コンテンツは、「再生速度」が２倍速（「×２．０」）と設定されている。
【００４１】
また、ここでは、「ジャンル」：「スポーツ」、「サブジャンル」：「サッカー」の映
像コンテンツも「再生速度」が２倍速（「×２．０」）に、同様に、「サブジャンル」：
「バレーボール」、「サブジャンル」：「相撲」の映像コンテンツも「再生速度」が２倍
速（「×２．０」）に設定されている。
【００４２】
また、ここでは、「ジャンル」：「ドラマ」の映像コンテンツは「再生速度」が１倍速
（「×１．０」）に、「ジャンル」：「歌番組」の映像コンテンツは「再生速度」が１倍
速（「×１．０」）に、「ジャンル」：「ニュース／天気予報」の映像コンテンツは「再
生速度」が１．５倍速（「×１．５」）に、「ジャンル」：「アニメ」の映像コンテンツ
は「再生速度」が１．５倍速（「×１．５」）に、「ジャンル」：「教育」の映像コンテ
ンツは「再生速度」が１倍速（「×１．０」）に、それぞれ設定されている。
【００４３】
この設定値は、予め設定され、例えば、テーブルとして上記フラッシュメモリ１５に記
憶されている。
【００４４】
そして、この実施形態においては、再生を行う映像コンテンツのジャンル情報が取得さ
れると、この取得されたジャンル情報に応じ、予め設定された再生速度で映像コンテンツ
を再生する。
【００４５】
これにより、ユーザは、ジャンル情報に応じ、予め設定された再生速度で映像コンテン
ツを再生することが可能になる。
【００４６】
なお、映像コンテンツのジャンル情報（例えば、番組データに含まれる）は、例えば、
デジタル放送で送信される電子番組ガイドに含まれる番組データを用いることで、取得す
ることが可能である。
【００４７】
また、例えば、アナログ放送では、特定の放送局またはインターネット経由で、番組デ
ータが送信されるように構成しても良い。
【００４８】
また、例えば、映像コンテンツをインターネット配信できる環境においては、インター
ネット経由で番組データが提供されるように構成しても良い。
【００４９】
図４は、実施形態に係わる電子機器から出力されるタイムシフト再生の再生倍速設定画
面における設定変更時の表示例を示す図である。
【００５０】
ここでは、ユーザがリモコン２１を操作し、図４に示すように、カーソル４０が表示さ
れている「ジャンル」：「スポーツ」、「サブジャンル」：「相撲」の「再生速度」の設
定が、２倍速（「×２．０」）から１．５倍速（「×１．５」）に変更されている。
【００５１】
この設定変更値は、上記と同様に、例えば、テーブルとして上記フラッシュメモリ１５
に記憶される。
【００５２】
そして、以降は、再生を行う映像コンテンツのジャンル情報が取得されると、この取得
されたジャンル情報に応じ、設定変更された再生速度で映像コンテンツを再生する。
【００５３】
これにより、ユーザは、ジャンル情報に応じ、設定変更された再生速度で映像コンテン
ツを再生することが可能になる。
【００５４】
図５は、実施形態に係わる電子機器から出力されるタイムシフト再生の再生倍速設定画
面の他の例を示す図である。
【００５５】
ここでは、図５に示すように、表示画面８に、再生終了時刻が設定されていない場合の
、ユーザに再生指示された映像コンテンツのタイムシフト再生の再生倍速設定画面が表示
されている。
【００５６】
ここでは、例えば、野球中継の映像コンテンツが再生指示されている。
【００５７】
この実施形態においては、例えば、映像コンテンツの再生指示に応じ、上記再生倍速設
定画面が表示される。
【００５８】
そして、ここでは、再生コンテンツ名５１は「野球中継  ２０１１年１０月１０日放送
・・・」、ジャンル／サブジャンル５２はそれぞれ、「スポーツ／野球」、再生速度５
３は「２倍速（×２．０）」、現在時刻５４は「２０１１年１０月２０日、１０：３０Ａ
Ｍ」、再生終了予想時刻は「２０１１年１０月２０日、１１：０５ＡＭ」が表示される。
【００５９】
また、ここでは、再生終了時刻設定５６は設定されていないので、「設定されていませ
ん」と表示される。
【００６０】
すなわち、この実施形態においては、電子機器１は、再生を行う映像コンテンツが指定
され、上記のようにジャンル情報が取得されると、この取得されたジャンル情報に応じ、
予め設定（または上記設定変更）された再生速度を求める。
【００６１】
例えば、再生コンテンツ名５１、ジャンル／サブジャンル５２は上記ジャンル情報を用
い、再生速度５３は予め設定（または上記設定変更）された再生速度を用いる。
【００６２】
また、現在時刻５４は、例えば、デジタル放送から取得する。
【００６３】
また、再生終了予想時刻５５は、上記映像コンテンツの通常（１倍速）の再生時間と上
記再生速度５３を用いて求められる。
【００６４】
ここでは、上記条件でこの映像コンテンツが再生される。
【００６５】
図６は、実施形態に係わる電子機器から出力されるタイムシフト再生の再生倍速設定画
面の他の例において、再生終了時刻が自動的に設定されるようすを示す図である。
【００６６】
例えば、ユーザは、リモコン２１を操作し、再生終了予想時刻５５を変更指示する。
【００６７】
上記のように、図５においては、再生終了予想時刻５５は「２０１１年１０月２０日、
１１：０５ＡＭ」と表示されている。この状態で、ユーザはリモコン２１を操作し、再生
終了予想時刻５５を変更指示する。
【００６８】
ここでは、図６に示すように、再生終了時刻設定５６が「２０１１年１０月２０日、１
１：００ＡＭ」と設定（あるいは変更）される。このとき、再生終了時刻設定５６が変更
される前の状態（図５）に比べ、再生時間は５分の短縮になるので、例えば、「５分短縮
」と表示しても良い。
【００６９】
また、ここでは、この再生終了時刻設定５６が上記のように変更されることにより、再
生終了予想時刻５５は「２０１１年１０月２０日、１１：００ＡＭ」に変更される。
【００７０】
この実施形態においては、このように、再生終了時刻設定５６を変更することにより、
再生終了予想時刻５５が設定（あるいは変更）され、例えば、表示画面８に表示される。
【００７１】
これにより、ユーザは、再生終了予想時刻５５を設定して、映像コンテンツを視聴する
ことが可能になる。
【００７２】
図７は、実施形態に係わる電子機器の動作を説明するフローチャートである。
【００７３】
ステップＳ１００は、ここでの開始ステップである。続いて、ステップＳ１０１に進む
。
【００７４】
ステップＳ１０１は、例えば、ユーザがリモコン２１を操作し、電子機器１に録画され
ている所定の映像コンテンツの再生を指示するステップである。電子機器１は、この指示
に応じ、この映像コンテンツを再生する。続いて、ステップＳ１０２に進む。
【００７５】
ステップＳ１０２は、ユーザがリモコン２１を操作し、上記映像コンテンツ再生の一時
停止を指示するステップである。電子機器１は、この指示に応じ、この映像コンテンツ再
生の一時停止を行う。続いて、ステップＳ１０３に進む。
【００７６】
ステップＳ１０３は、ユーザがリモコン２１を操作し、再び、映像コンテンツの再生を
指示するステップである。ここでの再生は上記タイムシフト再生でも良い。続いて、ステ
ップＳ１０４に進む。
【００７７】
ステップＳ１０４は、上記再生がタイムシフト再生であるかを判別するステップである
。上記再生がタイムシフト再生であると判別される場合は、ステップＳ１０５に進む（Ｙ
ｅｓ）。上記再生がタイムシフト再生ではないと判別される場合は、ステップＳ１０６に
進む（Ｎｏ）。
【００７８】
ステップＳ１０６は、例えば、上記再生がタイムシフト再生ではない場合に、通常の再
生速度（×１．０）で映像コンテンツを再生するステップである。続いて、ステップＳ１
１０に進む。
【００７９】
ステップＳ１０７は、上記のように取得されたジャンル情報を、予め設定された再生倍
速情報テーブルと比較するステップである。続いて、ステップＳ１０８に進む。
【００８０】
ステップＳ１０８は、上記のようにジャンル情報に応じた再生速度情報を取得するステ
ップである。続いて、ステップＳ１０９に進む。
【００８１】
ステップＳ１０９は、上記のように取得された再生速度情報に基づいて、映像コンテン
ツをタイムシフト再生するステップである。続いて、ステップＳ１１０に進む。
【００８２】
ステップＳ１１０は、終了ステップであり、ここでの処理は終了する。
【００８３】
このように構成することにより、ユーザは、ジャンル情報に応じ、予め設定された再生
速度で映像コンテンツを再生することが可能になる。
【００８４】
図８は、実施形態に係わる電子機器において、再生倍速情報の設定に係る動作を説明す
るフローチャートである。
【００８５】
ステップＳ２００は、ここでの開始ステップである。続いて、ステップＳ２０１に進む
。
【００８６】
ステップＳ２０１は、例えば、上記のようにユーザ操作されたリモコン２１から出力さ
れた再生倍速情報の表示指示を、電子機器１が受信したかを判別するステップである。再
生倍速情報の表示指示を電子機器１が受信したと判別される場合は、ステップＳ２０２に
進む（Ｙｅｓ）。再生倍速情報の表示指示を電子機器１が受信しないと判別される場合は
、ここでの処理を繰り返す（Ｎｏ）。
【００８７】
ステップＳ２０２は、例えば、図３に示すように、予め設定され、フラッシュメモリ１
５に記憶されている映像コンテンツの再生に係る情報（再生倍速情報）を表示するステッ
プである。続いて、ステップＳ２０３に進む。
【００８８】
ステップＳ２０３は、上記映像コンテンツの再生に係る情報の設定変更指示を受信した
かを判別するステップである。映像コンテンツの再生に係る情報（再生倍速情報）の設定
変更指示を受信したと判別される場合は、ステップＳ２０４に進む（Ｙｅｓ）。映像コン
テンツの再生に係る情報（再生倍速情報）の設定変更指示を受信したと判別されない場合
は、ここでの処理を繰り返す（Ｎｏ）。
【００８９】
ステップＳ２０４は、例えば、図４に示すように、ユーザがリモコン２１を操作し、映
像コンテンツの再生に係る情報（再生倍速情報）の内容を変更するステップである。続い
て、ステップＳ２０５に進む。
【００９０】
ステップＳ２０５は、上記設定変更された再生倍速情報（テーブル）をフラッシュメモ
リ１５に記憶するステップである。続いて、ステップＳ２０１に進み上記処理を繰り返す
。
【００９１】
このように構成することにより、ユーザは、ジャンル情報に応じ、設定変更された再生
速度で映像コンテンツを再生することが可能になる。
【００９２】
図９は、実施形態に係わる電子機器において、再生終了時刻設定に係る動作を説明する
フローチャートである。
【００９３】
ステップＳ３００は、開始ステップである。続いてステップＳ３０１に進む。
【００９４】
ステップＳ３０１は、電子機器１が映像コンテンツの再生（タイムシフト再生）指示を
受信し、映像コンテンツの再生（タイムシフト再生）を行なうステップである。続いてス
テップＳ３０２に進む。
【００９５】
ステップＳ３０２は、上記のように、設定されている再生速度５３で映像コンテンツを
再生した場合の再生所要時間を求めるステップである。続いてステップＳ３０３に進む。
【００９６】
ステップＳ３０３は、例えば、デジタル放送等から取得される現在時刻５４に、上記求
められた再生所要時間を加算し、再生終了予想時刻５５を求めるステップである。続いて
ステップＳ３０４に進む。
【００９７】
ステップＳ３０４は、上記再生終了予想時刻５５を例えば、表示画面８に表示するステ
ップである。続いてステップＳ３０５に進む。
【００９８】
ステップＳ３０５は、上記のような再生終了時刻設定５６に変更があったかを判別する
ステップである。再生終了時刻設定５６に変更があると判別される場合はステップＳ３０
６に進む（Ｙｅｓ）。再生終了時刻設定５６に変更がないと判別される場合はステップＳ
３０７に進む（Ｎｏ）。
【００９９】
ステップＳ３０６は、上記再生終了時刻設定５６変更に応じて再生速度５３を設定変更
するステップである。続いてステップＳ３０２に進み、上記処理を繰り返す。
【０１００】
ステップＳ３０７は、終了ステップであり、ここでの処理は終了する。
【０１０１】
このように構成することにより、ユーザは、再生終了予想時刻５５を設定して、映像コ
ンテンツを視聴することが可能になる。
【０１０２】
図１０は、他の実施形態に係わる電子機器の外観を示す外観図である。
【０１０３】
ここでは、他の実施形態として電子機器（ＢＤレコーダ）３０を用いている。
【０１０４】
ここでは、電子機器（ＢＤレコーダ）３０は、表示画面を備えないが、他の構成は上記
電子機器１と同様の構成である。そして、電子機器（ＢＤレコーダ）３０は、映像表示装
置１ａの表示画面８にＨＤＭＩケーブル３０ｂを介して接続され、上記映像コンテンツや
上記タイムシフト再生の再生倍速設定画面等を出力表示する。
【０１０５】
この実施形態は、上記の他に、パーソナルコンピュータ（ＰＣ）や携帯型端末等の他の
電子機器に適用することも可能である。
【０１０６】
すなわち、この実施形態においては、電子機器１は、例えば、電子機器（映像表示装置
）１の操作受信部２０で映像コンテンツの再生指示を受信する。
【０１０７】
また、上記のように、デジタル放送等から再生指示を受信した映像コンテンツのジャン
ル情報（番組データ）を取得する。
【０１０８】
また、上記取得されたジャンル情報に応じた、フラッシュメモリ１５等に予め設定され
た再生速度で上記映像コンテンツを再生する。
【０１０９】
また、電子機器１は、取得されたジャンル情報に応じた再生速度情報を取得し、この取
得された再生速度情報に基づいて映像コンテンツを再生する。
【０１１０】
また、電子機器１は、映像コンテンツのタイムシフト再生指示を受信した場合に、ジャ
ンル情報を取得するように構成しても良い。
【０１１１】
また、電子機器１は、予め設定されている映像コンテンツのジャンル情報に応じた再生
速度情報を出力する。
【０１１２】
また、電子機器１は、映像コンテンツのジャンル情報に応じた再生速度情報を変更可能
に構成している。
【０１１３】
また、電子機器１は、映像コンテンツの再生指示に応じ、設定されている再生速度で映
像コンテンツを再生した場合の所要時間を求め、この映像コンテンツの再生終了予想時刻
を出力するように構成している。
【０１１４】
また、電子機器１は、出力された予想時刻を変更可能に構成している。
【０１１５】
上記のように構成することにより、この実施形態は、映像コンテンツの再生において、
再生速度を可変にし、ユーザの利便性を向上させることが可能になる。
【０１１６】
なお、上記実施形態の制御処理の手順は全てソフトウェアによって実行することが可能
である。このため、制御処理の手順を実行するプログラムを格納したコンピュータ読み取
り可能な記憶媒体を通じてこのプログラムを通常のコンピュータにインストールして実行
するだけで、上記実施形態と同様の効果を容易に実現することができる。
【０１１７】
なお、上記実施形態は、記述そのものに限定されるものではなく、実施段階では、その
趣旨を逸脱しない範囲で、構成要素を種々変形して具体化することが可能である。
【０１１８】
また、上記実施形態に開示されている複数の構成要素の適宜な組み合せにより種々の発
明を形成できる。
【０１１９】
例えば、実施形態に示される全構成要素から幾つかの構成要素を削除してもよい。更に
、異なる実施形態に亘る構成要素を適宜組み合せてもよい。
【符号の説明】
【０１２０】
３９…アンテナ、４０…映像表示装置、４１…制御部、４２…カメラ、４３…受信機（
チューナ）、４４…デコーダ、４５…標準画質処理、４６…高画質処理、４７…フレーム
補完処理、４８…マルチプレクサ、４９…画面(表示装置)、５０…バックライト。
【図１】
2013098751.tif 000003
【図２】
2013098751.tif 000004
【図３】
2013098751.tif 000005
【図４】
2013098751.tif 000006
【図５】
2013098751.tif 000007
【図６】
2013098751.tif 000008
【図７】
2013098751.tif 000009
【図８】
2013098751.tif 000010
【図９】
2013098751.tif 000011
【図１０】
2013098751.tif 000012